(57)【要約】  浸透圧モル濃度測定システムは、測定室内にコンタクトレンズを収容するよう構成される。測定室は、ある容量の流体を含み、一連の電極が、流体の電気特性を測定するよう構成される。処理装置が、測定された電気特性を浸透圧モル濃度測定値と相関させる。さらに、処理装置は、記憶された浸透圧モル濃度測定値における傾向を追跡し、且つ、製品使用の中止又は変更を含む行動を取るよう、使用者に警告するよう構成される。
2007525660.tif 000002
【特許請求の範囲】
【請求項１】
ある容量の流体を収容し且つレンズを収容するよう構成された測定室と、
該測定室内の前記流体の電気特性を測定するよう構成された一連の電極と、
該一連の電極に結合された処理装置とを含み、
前記レンズは、ある量の涙液膜を保持するよう構成され、
前記処理装置は、前記レンズが前記測定室内に配置されるときに、前記測定室内の前記流体の前記電気特性の変化を検出するよう構成された、
浸透圧モル濃度測定システム。
【請求項２】
前記処理装置は、前記電気特性の前記変化を浸透圧モル濃度測定値と相関させるよう構成された、請求項１に記載の浸透圧モル濃度測定システム。
【請求項３】
複数の電極対をさらに含み、該複数の電極対は、前記流体の前記電気特性を測定するよう構成された、請求項１に記載の浸透圧モル濃度測定システム。
【請求項４】
前記対の電極は、前記レンズが前記測定室内に配置されるときに、前記レンズとの直接的な接触を回避するよう構成された、請求項１に記載の浸透圧モル濃度測定システム。
【請求項５】
前記電気促成の測定は、流体の導電性又は複素インピーダンスの測定を含む、請求項１に記載の浸透圧モル濃度測定システム。
【請求項６】
前記流体は純水である、請求項１に記載の浸透圧モル濃度測定システム。
【請求項７】
前記プロセッサに結合されたディスプレイをさらに含み、前記プロセッサは、前記ディスプレイ上に浸透圧モル濃度値を表示するよう構成された、請求項２に記載の浸透圧モル濃度測定システム。
【請求項８】
前記処理装置に結合されたメモリをさらに含み、該メモリは、電気特性を浸透圧モル濃度値で写像する表を記憶するよう構成され、前記プロセッサは、前記表を用いて、前記電気特性の前記変化を浸透圧モル濃度値と相関させるよう構成された、請求項２に記載の浸透圧モル濃度測定システム。
【請求項９】
前記表は、前記測定室が収容するよう構成された前記流体の容量と関連する基準浸透圧モル濃度を計上するよう構成された、請求項８に記載の浸透圧モル濃度測定システム。
【請求項１０】
前記メモリは、複数の浸透圧モル濃度測定値を記憶するよう構成された、請求項９に記載の浸透圧モル濃度測定システム。
【請求項１１】
前記メモリ装置は取り外し可能である、請求項１０に記載の浸透圧モル濃度測定システム。
【請求項１２】
前記プロセッサは、前記複数の浸透圧モル濃度測定値における傾向を追跡するようさらに構成された、請求項１０に記載の浸透圧モル濃度測定システム。
【請求項１３】
使用者に行動を取るよう告げる表示器をさらに含む、請求項１２に記載の浸透圧モル濃度測定システム。
【請求項１４】
前記表示器は、ディスクプレイ、ＬＥＤ、複数の光、又は、音声信号のうちの少なくとも１つを含む、請求項１３に記載の浸透圧モル濃度測定システム。
【請求項１５】
前記表示器は、施すべき人工涙の種類を表示するよう構成された、請求項１３に記載の浸透圧モル濃度測定システム。
【請求項１６】
前記表示器は、施すべき薬剤の種類を表示するよう構成された、請求項１３に記載の浸透圧モル濃度測定システム。
【請求項１７】
前記表示器は、使用すべきコンタクトレンズの種類を表示するよう構成された、請求項１３に記載の浸透圧モル濃度測定システム。
【請求項１８】
前記処理装置を含むためのベースユニットをさらに含む、請求項１０に記載の浸透圧モル濃度測定システム。
【請求項１９】
前記ベースユニットは、前記測定室を含むよう構成された、請求項１８に記載の浸透圧モル濃度測定システム。
【請求項２０】
前記ベースユニットは、前記測定室を含むカートリッジを収容するよう構成された、請求項１８に記載の浸透圧モル濃度測定システム。
【請求項２１】
前記測定室は、使い捨て可能に構成された、請求項２０に記載の浸透圧モル濃度測定システム。
【請求項２２】
前記測定室内に一組の電極をさらに含む、請求項２１に記載の浸透圧モル濃度測定システム。
【請求項２３】
前記ベースユニットは、ネットワークインターフェースをさらに含む、請求項１８に記載の浸透圧モル濃度測定システム。
【請求項２４】
前記プロセッサは、前記ネットワークインターフェースを通じて、前記複数の浸透圧モル濃度測定値をダウンロードするよう構成された、請求項２３に記載の浸透圧モル濃度測定システム。
【請求項２５】
一組のコンタクトレンズと、
浸透圧モル濃度測定システムとを含み、該浸透圧モル濃度測定システムは、
ある容量の流体を収容し且つ前記コンタクトレンズを収容するよう構成された測定室と、
該測定室内の前記流体の電気特性を測定するよう構成された一連の電極と、
該一連の電極に結合された処理装置とを含み、
前記コンタクトレンズは、ある量の涙液膜を保持するよう構成され、
前記処理装置は、前記コンタクトレンズが前記測定室内に配置されるときに、前記測定室内の前記流体の前記電気特性の変化を検出するよう構成された、
試験キット。
【請求項２６】
前記処理装置は、前記電気特性の前記変化を浸透圧モル濃度測定値と相関させるよう構成された、請求項２５に記載の試験キット。
【請求項２７】
前記浸透圧モル濃度測定システムは、複数の電極対をさらに含み、該複数の電極対は、前記流体の前記電気特性を測定するよう構成された、請求項２６に記載の試験キット。
【請求項２８】
前記対の電極は、前記レンズが前記測定室内に配置されるときに、前記レンズとの直接的な接触を回避するよう構成された、請求項２７に記載の試験キット。
【請求項２９】
前記電気特性における変化の検出は、前記流体の導電性の測定を含む、請求項２５に記載の試験キット。
【請求項３０】
前記流体は純水である、請求項２５に記載の試験キット。
【請求項３１】
前記浸透圧モル濃度測定システムは、前記プロセッサに結合されたディスプレイをさらに含み、前記プロセッサは、前記ディスプレイ上に浸透圧モル濃度値を表示するよう構成された、請求項２６に記載の試験キット。
【請求項３２】
前記浸透圧モル濃度測定システムは、前記処理装置に結合されたメモリをさらに含み、該メモリは、電気特性を浸透圧モル濃度値で写像する表を記憶するよう構成され、前記プロセッサは、前記表を用いて、前記電気特性の前記変化を浸透圧モル濃度値と相関させるよう構成された、請求項２６に記載の試験キット。
【請求項３３】
前記表は、前記測定室が収容するよう構成された前記流体の容量と関連する基準浸透圧モル濃度を計上するよう構成された、請求項３２に記載の試験キット。
【請求項３４】
前記メモリは、複数の浸透圧モル濃度測定値を記憶するよう構成された、請求項３３に記載の試験キット。
【請求項３５】
前記メモリは、取り外し可能である、請求項３４に記載の試験キット。
【請求項３６】
前記プロセッサは、前記複数の浸透圧モル濃度測定値における傾向を追跡するようさらに構成された、請求項３４に記載の試験キット。
【請求項３７】
前記浸透圧モル濃度測定システムは、前記一組のコンタクトレンズから新しいコンタクトレンズを選択するよう告げる表示器をさらに含む、請求項３６に記載の試験キット。
【請求項３８】
前記表示器は、ディスクプレイ、ＬＥＤ、複数の光、又は、音声信号のうちの少なくとも１つを含む、請求項３７に記載の試験キット。
【請求項３９】
前記一組のコンタクトレンズは、コード化されたパッケージの配列を含み、前記コード化されたパッケージの配列内の各パッケージは、前記配列内の他のパッケージ内のコンタクトレンズに関連する特性と異なる特性を備えるコンタクトレンズを含むよう構成された、請求項３８に記載の試験キット。
【請求項４０】
前記コンタクトレンズの前記特性は、気孔率、組成、剛性、及び、変化する涙液浸透圧モル濃度に対して調節され得るコンタクトレンズ設計パラメータを含む、請求項３９に記載の試験キット。
【請求項４１】
前記表示器は、前記コード化されたパッケージの配列のどのパッケージが用いられるべきかを表示するよう構成された、請求項３９に記載の試験キット。
【請求項４２】
一組の人工涙溶液と、
浸透圧モル濃度測定システムとを含み、該浸透圧モル濃度測定システムは、
ある容量の流体を収容し且つ前記コンタクトレンズを収容するよう構成された測定室と、
該測定室内の前記流体の電気特性を測定するよう構成された一連の電極と、
該一連の電極に結合された処理装置とを含み、
前記コンタクトレンズは、ある量の涙液膜を保持するよう構成され、
前記処理装置は、前記コンタクトレンズが前記測定室内に配置されるときに、前記測定室内の前記流体の前記電気特性の変化を検出するよう構成された、
試験キット。
【請求項４３】
前記処理装置は、前記電気特性の前記変化を浸透圧モル濃度測定値と相関させるよう構成された、請求項４２に記載の試験キット。
【請求項４４】
前記浸透圧モル濃度測定システムは、複数の電極対をさらに含み、該複数の電極対は、前記流体の前記電気特性を測定するよう構成された、請求項４３に記載の試験キット。
【請求項４５】
前記対の電極は、前記レンズが前記測定室内に配置されるときに、前記レンズとの直接的な接触を回避するよう構成された、請求項４４に記載の試験キット。
【請求項４６】
前記電気特性における変化の検出は、前記流体の導電性の測定を含む、請求項４２に記載の試験キット。
【請求項４７】
前記流体は純水である、請求項４２に記載の試験キット。
【請求項４８】
前記浸透圧モル濃度測定システムは、前記プロセッサに結合されたディスプレイをさらに含み、前記プロセッサは、前記ディスプレイ上に浸透圧モル濃度値を表示するよう構成された、請求項４３に記載の試験キット。
【請求項４９】
前記浸透圧モル濃度測定システムは、前記処理装置に結合されたメモリをさらに含み、該メモリは、電気特性を浸透圧モル濃度値で写像する表を記憶するよう構成され、前記プロセッサは、前記表を用いて、前記電気特性の前記変化を浸透圧モル濃度値と相関させるよう構成された、請求項４３に記載の試験キット。
【請求項５０】
前記表は、前記測定室が収容するよう構成された前記流体の容量と関連する基準浸透圧モル濃度を計上するよう構成された、請求項４９に記載の試験キット。
【請求項５１】
前記メモリは、複数の浸透圧モル濃度測定値を記憶するよう構成された、請求項５０に記載の試験キット。
【請求項５２】
前記メモリは、取り外し可能である、請求項５１に記載の試験キット。
【請求項５３】
前記プロセッサは、前記複数の浸透圧モル濃度測定値における傾向を追跡するようさらに構成された、請求項５１に記載の試験キット。
【請求項５４】
前記浸透圧モル濃度測定システムは、前記一組の人工涙溶液から新しい人工涙溶液を選択するよう告げる表示器をさらに含む、請求項５３に記載の試験キット。
【請求項５５】
前記表示器は、ディスクプレイ、ＬＥＤ、複数の光、又は、音声信号のうちの少なくとも１つを含む、請求項５４に記載の試験キット。
【請求項５６】
前記一組の人工涙溶液は、コード化されたパッケージの配列を含み、前記コード化されたパッケージの配列内の各パッケージは、前記配列内の他のパッケージ内の人工涙溶液に関連する特性と異なる特性を備える人工涙溶液を含むよう構成された、請求項５５に記載の試験キット。
【請求項５７】
前記人工涙溶液の前記特性は、等張、低張、及び、高張特性、並びに、変化する涙液浸透圧モル濃度に対処するよう設計され得る調合物特性を含む、請求項５６に記載の試験キット。
【請求項５８】
前記表示器は、前記コード化されたパッケージの配列のどのパッケージが用いられるべきかを表示するよう構成された、請求項５６に記載の試験キット。
【請求項５９】
一組の薬物と、
浸透圧モル濃度測定システムとを含み、該浸透圧モル濃度測定システムは、
ある容量の流体を収容し且つ前記コンタクトレンズを収容するよう構成された測定室と、
該測定室内の前記流体の電気特性を測定するよう構成された一連の電極と、
該一連の電極に結合された処理装置とを含み、
前記コンタクトレンズは、ある量の涙液膜を保持するよう構成され、
前記処理装置は、前記コンタクトレンズが前記測定室内に配置されるときに、前記測定室内の前記流体の前記電気特性の変化を検出するよう構成された、
試験キット。
【請求項６０】
前記処理装置は、前記電気特性の前記変化を浸透圧モル濃度測定値と相関させるよう構成された、請求項５９に記載の試験キット。
【請求項６１】
前記浸透圧モル濃度測定システムは、複数の電極対をさらに含み、該複数の電極対は、前記流体の前記電気特性を測定するよう構成された、請求項６０に記載の試験キット。
【請求項６２】
前記対の電極は、前記レンズが前記測定室内に配置されるときに、前記レンズとの直接的な接触を回避するよう構成された、請求項６１に記載の試験キット。
【請求項６３】
前記電気特性における変化の検出は、前記流体の導電性の測定を含む、請求項５９に記載の試験キット。
【請求項６４】
前記流体は純水である、請求項６０に記載の試験キット。
【請求項６５】
前記浸透圧モル濃度測定システムは、前記プロセッサに結合されたディスプレイをさらに含み、前記プロセッサは、前記ディスプレイ上に浸透圧モル濃度値を表示するよう構成された、請求項６０に記載の試験キット。
【請求項６６】
前記浸透圧モル濃度測定システムは、前記処理装置に結合されたメモリをさらに含み、該メモリは、電気特性を浸透圧モル濃度値で写像する表を記憶するよう構成され、前記プロセッサは、前記表を用いて、前記電気特性の前記変化を浸透圧モル濃度値と相関させるよう構成された、請求項６０に記載の試験キット。
【請求項６７】
前記表は、前記測定室が収容するよう構成された前記流体の容量と関連する基準浸透圧モル濃度を計上するよう構成された、請求項６６に記載の試験キット。
【請求項６８】
前記メモリは、複数の浸透圧モル濃度測定値を記憶するよう構成された、請求項６７に記載の試験キット。
【請求項６９】
前記メモリは、取り外し可能である、請求項６８に記載の試験キット。
【請求項７０】
前記プロセッサは、前記複数の浸透圧モル濃度測定値における傾向を追跡するようさらに構成された、請求項６８に記載の試験キット。
【請求項７１】
前記浸透圧モル濃度測定システムは、前記一組の薬物から新しい薬物を選択するよう告げる表示器をさらに含む、請求項７０に記載の試験キット。
【請求項７２】
前記表示器は、ディスクプレイ、ＬＥＤ、複数の光、又は、音声信号のうちの少なくとも１つを含む、請求項７１に記載の試験キット。
【請求項７３】
前記一組の薬物は、コード化されたパッケージの配列を含み、前記コード化されたパッケージの配列内の各パッケージは、前記配列内の他のパッケージ内の薬物に関する特性と異なる特性を備える薬物を含むよう構成された、請求項７２に記載の試験キット。
【請求項７４】
前記人工涙溶液の前記特性は、等張、低張、及び、高張特性を含む、請求項７３に記載の試験キット。
【請求項７５】
浸透圧モル濃度試験装置を使用して浸透圧モル濃度を試験するときに、使用されるべき流体の容量を決定するステップと、
該決定された流体の容量に関連する電気特性を測定するステップと、
前記決定された流体の容量に関連する前記測定された電気特性に基づいて、前記浸透圧モル濃度試験装置のための基準浸透圧モル濃度値を構築するステップとを含む、
浸透圧モル濃度試験装置を構成する方法。
【請求項７６】
前記流体の容量は、前記浸透圧モル濃度測定装置の一部を構成する測定室の寸法に基づいて決定される、請求項７５に記載の方法。
【請求項７７】
前記決定された流体の容量に関連する電気特性を測定するステップは、前記流体の容量の導電性を測定するステップを含む、請求項７５に記載の方法。
【請求項７８】
前記導電性を測定するステップは、前記測定室内に複数の電極を提供し、前記液体を前記複数の電極に接触させるステップを含む、請求項７７に記載の方法。
【請求項７９】
前記複数の電極を通じて電流を前記液体に加えるステップをさらに含む、請求項７８に記載の方法。
【請求項８０】
前記液体の前記電気特性を測定するために、処理装置を前記測定装置に結合するステップをさらに含む、請求項７９に記載の方法。
【請求項８１】
前記基準浸透圧モル濃度値を可視的ディスプレイの上に表示するステップをさらに含む、請求項８０に記載の方法。
【請求項８２】
前記導電性値をメモリ装置の上に記憶するステップをさらに含む、請求項８０に記載の方法。
【請求項８３】
前記処理装置及び前記メモリ装置を含めるために、ベースユニットを提供するステップをさらに含む、請求項８２に記載の方法。
【請求項８４】
測定された電気特性を浸透圧モル濃度値に写像する表を提供するステップをさらに含む、請求項７５に記載の方法。
【請求項８５】
前記表は、前記構築された基準浸透圧モル濃度を計上するよう構成される、請求項８４に記載の方法。
【請求項８６】
使用者によって提供されるサンプルの浸透圧モル濃度を測定する方法であって、
コンタクトレンズを取り外すステップと、
前記コンタクトレンズを流体の部分の内部に配置するステップと、
前記流体の電気特性を測定するステップとを含む方法。
【請求項８７】
前記流体の前記電気特性を浸透圧モル濃度測定値に相関させるステップをさらに含む、請求項８６に記載の方法。
【請求項８８】
前記測定された電気特性を浸透圧モル濃度値に写像する表を提供するステップをさらに含む、請求項８７に記載の方法。
【請求項８９】
前記浸透圧モル濃度値をメモリ装置の上に記憶するステップをさらに含む、請求項８８に記載の方法。
【請求項９０】
複数の浸透圧モル濃度値を前記メモリ装置の上に記憶するステップをさらに含む、請求項８９に記載の方法。
【請求項９１】
前記流体の部分を含む測定室をベースユニットの内部に配置するステップをさらに含む、請求項９０に記載の方法。
【請求項９２】
前記流体の部分を前記測定室に注入するステップをさらに含む、請求項９１に記載の方法。
【請求項９３】
前記流体の部分の前記電気特性のための基準値を構築するために、前記コンタクトレンズを前記流体の部分の内部に配置する前に、前記流体の部分の前記電気特性を測定するステップをさらに含む、請求項９２に記載の方法。
【請求項９４】
前記流体の部分の内部に前記コンタクトレンズを配置した後に、前記流体の部分の前記電気特性のための前記基準値を、前記流体の部分の前記測定された電気特性と比較するステップをさらに含む、請求項９３に記載の方法。
【請求項９５】
複数の電極を通じて前記流体の部分に電流を加えるステップをさらに含む、請求項９４に記載の方法。
【請求項９６】
前記浸透圧モル濃度値を可視的ディスプレイの上に表示するステップをさらに含む、請求項８７に記載の方法。
【請求項９７】
前記メモリ装置上の前記複数の浸透圧モル濃度値における傾向を追跡するステップをさらに含む、請求項９０に記載の方法。
【請求項９８】
行動を取るという表示を受信するステップをさらに含む、請求項９７に記載の方法。
【請求項９９】
人工涙を施すという表示を受信するステップをさらに含む、請求項９８に記載の方法。
【請求項１００】
薬物を選択するという表示を受信するステップをさらに含む、請求項９８に記載の方法。
【請求項１０１】
新しいコンタクトレンズを選択するという表示を受信するステップをさらに含む、請求項９８に記載の方法。
【発明の詳細な説明】
【技術分野】
【０００１】
本発明の分野は、一般的には、浸透圧モル濃度測定に関し、より具体的には、後続の涙液膜浸透圧モル濃度測定のための涙を収集するための生体外受容基板としてのコンタクトレンズの使用に関する。
【背景技術】
【０００２】
涙は、接眼レンズ表面の完全性の維持、微生物の挑戦に対する保護、及び、視力の維持において本質的な役割を果たす。次いで、これらの機能は、涙液膜構造の組成及び安定性に大きく依存し、涙液膜構造は、下方に位置するムチン基盤、中間の水性成分、及び、上方を覆う脂質層を含む。涙液膜の崩壊、欠陥、又は、欠如は、眼に重く影響を及ぼし得る。
【０００３】
人間の涙の塩濃度（浸透圧モル濃度）の増大が、全ての種類のドライアイの基礎をなす原因機構として認識されている。慢性的に増大された浸透圧は、ＬＡＳＩＫ後の合併症、乾性角結膜炎、及び、コンタクトレンズに起因するドライアイに結び付けられる。モル濃度涙液膜健康の指標としてのその有用性は明白であるが、涙の浸透圧モル濃度を迅速に測定する能力は、数十年間に亘って科学を逃れてきた。相対的な涙液膜を時間と共に測定、より重要には、監視することが可能であるならば、ドライアイ患者に提供されるべき医療の質は、劇的に向上するであろう。人の病気の状態に関する個人的データは、医者が新しい療法を開発し、処方薬を変え、且つ、使用される製品の種類を適時に調整するのを可能にする。
【０００４】
例えば、コンタクトレンズ装着の有害な影響によって挑戦されるとき、涙液膜の日常的な反応は特に関心がある。コンタクトレンズによって引き起こされる刺激は、ドライアイ症状を悪化させ且つレンズ装着者に相当な不快感をもたらす炎症状態を招き得る。しばしば、新しい処方のためにフィッティングを受けるとき、患者は、彼らの個々の接眼レンズ表面にとって最適なブランドを見い出す前に、幾つかの異なる種類のレンズを試さなければならない。臨床医は時間と共に患者の反応を追跡する能力を欠くので、フィッティングプロセスは概して試行錯誤である。さらに、有害な炎症の影響が生じるには数時間から数日かかるので、患者が臨床医のオフィスにいる間にこのデータを集めることは、実行可能でない。
【０００５】
薬学的、涙置換的、又は、機械的、即ち、ゴーグル、涙点プラグ等であろうとなかろうと、同様の制約が、ドライアイ治療学の効率を監視することにも当て嵌まる。医師は、患者データ、即ち、人種、年齢、性別、常用薬等を収集し、或いは、時間と共にそれを徴候及び症状に相関付ける手段を有しない。同様に、病気を治療する新しい技法を開発するときに、科学者はこのデータの利益を大いに享受するであろう。
【発明の開示】
【発明が解決しようとする課題】
【０００６】
優勢な技術は、ガラス毛管を下方リッドに優しく接触させることによる涙の収集を必要とする。しかしながら、そのような技術は、「在宅」試験に修正可能でない。さらに、涙液膜を分析するのに必要な臨床機器は、涙液膜健康の個人的監視には高額過ぎる。
【課題を解決するための手段】
【０００７】
浸透圧モル濃度測定システムは、涙液膜の浸透圧モル濃度の生体外測定を可能にする。１つの特徴において、システムは、ある容量の流体中にコンタクトレンズを収容するよう構成される。コンタクトレンズは、涙液膜の一部を収集するために用いられ、一連の沈水された電極が、収容流体の電気特性を測定するよう構成され、処理装置が、レンズが導入された後の測定室内の収容流体の電気特性の変化を検出するよう構成される。処理装置は、電気特性の変化を浸透圧モル濃度測定値に相関付けるようにも構成される。
【０００８】
他の特徴において、浸透圧モル濃度測定システムは、複数の浸透圧モル濃度測定値を記憶するためのメモリ装置を含む。処理装置は、記憶された浸透圧モル濃度測定値における傾向を追跡し、且つ、製品使用の中止又は変更を含む行動を取るよう、使用者に警告するよう構成される。本発明のこれらの及び他の機能、特徴、及び、実施態様は、「発明を実施するための最良の形態」と題する部分において以下に記載される。
【０００９】
添付の図面と共に、本発明の機能、特徴、及び、実施態様を記載する。
【発明を実施するための最良の形態】
【００１０】
以下に記載されるシステム及び方法は、涙液膜浸透圧モル濃度の迅速且つ安価な推定を可能にし、それはコンタクトレンズを涙液膜収集方法として使用することによって家庭又はクリニックのいずれでもなされ得る。一般的に、以前に装着されたコンタクトレンズは取り外され、精密に測定された容量の流体を収容する使い捨て可能な室の内部に配置される。使い捨て可能な素子は、レンズとの直接的な接触から遮断され得る一組の測定電極も包含する。レンズの導入に起因する流体の電気特性の変化は、患者の涙液膜の浸透圧モル濃度と相関され得る。収集された浸透圧モル濃度は、実施態様に依存して、取り外し可能なメモリに局所的に記憶されるか、或いは、データを追跡及び分析し得る中央サーバにアップロードされ得る。
【００１１】
ここに記載されるシステム及び方法は、浸透圧モル濃度を決定するための容量依存型方法を提供することが留意されるべきである。具体的には、コンタクトレンズ表面に残存する如何なる流体も、測定室内の流体の容量の最終測定濃度を変更する。しばしば、ここに記載される方法及びシステムに従った測定をなすために使用される日々の流体容量には変化があり得る。しかしながら、多くの時間地点に従った測定値が収集されるとき、日々の残留容量の可変性は概ね無関係である。可能なデータが多ければ多いほど、長期的傾向は、例えば、浸透圧モル濃度測定をなすために使用される流体容量の変化によって引き起こされる無作為ノイズに対してより一層鈍感になる。さらに、残留流体は、レンズの表面から迅速に蒸発し、それは、塩溶解の動力学が、ここに記載されるシステム及び方法が導入サンプルの容量変化を補償することを可能にする、ことを示唆する。よって、ここに記載されるシステム及び方法は、追跡されるべき１人の人物ための浸透圧モル濃度の経時的な相対変化を可能にすると共に、例えば、患者と臨床医との間のデータの情報共有を可能にする。
【００１２】
図１は、ここに記載されるシステム及び方法の１つの実施態様に従って構成された浸透圧モル濃度試験システム１００の例示的な実施態様を例証する図面である。システム１００は、ベースユニット１０２と、カートリッジ１０３とを含む。カートリッジ１０３は、測定室１０４を含み、測定室は、ある容量の流体を包含し、その容量の流体内にコンタクトレンズ１０６を収容するよう構成されている。ここに記載されるシステム及び方法の１つの実施例において、コンタクトレンズ１０６は受容基板として作用し、測定室１０４内に溶質を導入するために用いられ得る。図１に示される１つの例示的な実施態様において、ベースユニット１０２はカバー１０８を含む。図１において、カバー１０８は開放位置で例証され、それは測定室１０４へのアクセスをもたらす。
【００１３】
図２は、ここに記載されるシステム及び方法に従って構成された浸透圧モル濃度試験システム１００の他の例示的な実施態様を例証する図面である。図２において、カバー１０８は、閉塞位置で例証されている。この閉塞位置において、カバー１０８は、浸透圧モル濃度測定がシステム１００によってなされる前に、如何なる望ましくない材料も測定室１０４内に進入するのを最小限化するという追加的な利点をもたらす。
【００１４】
ベースユニット１０２は、例えば電圧又は電流を測定室１０４に供給するために要求される必要電子機器を収容し得る。電圧は、ベースユニット１０２内に位置するバッテリを通じて提供され得る。代替的に、電圧は、標準的な壁付きコンセントのような外部電源を通じても提供され得る。以下により詳細に議論されるように、ベースユニット１０２は、処理装置、メモリ装置、ネットワークインターフェース、及び／又は、信号伝達装置をさらに含み得る。
【００１５】
図３は、拡大図で示された測定室１０４を含むカートリッジ１０３の１つの実施態様をさらに例証している。測定室１０４は、そのベース領域３０６に印刷された複数の電極３０２，３０４を含み得る。測定室１０４は、ベースユニット１０２と連絡するための複数の電気接点３１０，３１２をさらに含み得る。
【００１６】
電極３０２，３０４の上には、電極３０２，３０４との流体連絡を容易化するよう構成され、さらに、コンタクトレンズ１０６が直接的に電極３０２，３０４と接触しないことを保証するバリア３０８が含まれ得る。バリア３０８がない場合には、コンタクトレンズは電極３０２，３０４と物理的に接触し、電流を測定するための微分抵抗経路を創成することが可能とされ得る。実施態様に依存して、バリア３０８は、多孔性プラスチックスクリーン、半透性膜、又は、大量生産を容易化するために測定装置１０４のベースユニット１０２上に刻印された一連のプラスチックピラミッドから成り得る。
【００１７】
測定室１０４は、ある容量の流体を収容するよう構成され得る。１つの実施態様において、測定室１０４内部の流体は、純水であり得る。純水は、低伝導率を有するという利益を有するので、１つの具体的な実施態様において、コンタクトレンズ１０６上の涙液膜からの塩イオンの導入は、測定される流体の電気特性において著しい変化を引き起こす。他の実施態様において、ある容量の既知の伝導性を有する標準化塩溶液を用い得る。さらに他の実施態様において、流体は、オイル基であり得るし、或いは、水の密度よりも低い密度を含む何らかの他の物質を含み得る。そのような実施態様において、コンタクトレンズからの涙流体は、カートリッジのベースにある電極面に向かって下方に移動し、バルク流体に熔解することなしに局所的伝導性における特別な変化を起こす。
【００１８】
ここに記載されるシステム及び方法の他の実施態様において、測定室１０４は、使い捨て可能なカートリッジ１０３内に含まれ得る。そのような実施態様では、カートリッジ１０３は、ベースユニット１０２内の所定位置にスナップ嵌めされるよう構成され得る。さらに、測定室１０４は、実施例に依存して、電極３０２，３０４と、電気接点３１０，３１２と、バリア３０８とを含み得る。カートリッジ１０３は、ある容量の流体、例えば、純水をさらに含み得るし、カバーを用いて封止され得る。カートリッジ１０３がベースユニット１０２内にスナップ嵌めされた後、封止されたカバーは、下方の流体を露出するために、カートリッジの頂部から取り外され得る。フォイル、プラスチック、又は、他の材料の組み合わせであろうとなかろうと、搬送中に水が取り外し可能なカートリッジの頂部に接着するのを阻止するために、カバーは疎水性材料で被覆され得る。
【００１９】
上記に議論されたように、ここに記載されるシステム及び方法は、容量依存型浸透圧モル濃度測定システムを提供する。従って、測定室１０４内に所定容量の流体を備えるカートリッジ１０３を含む１つの実施態様は、経時的な浸透圧モル濃度測定のために、一定容量の流体の使用を促進するのに役立つ。加えて、使い捨て可能なカートリッジは、各使用後に廃棄され得るし、各浸透圧モル濃度測定値を取るために、新しい使い捨て可能なカートリッジを用い得る。従って、各浸透圧モル濃度測定は、浸透圧モル濃度測定の精度に影響を及ぼし得る如何なる干渉溶質又は粒子も実質的にない測定室１０４から開始し得る。
【００２０】
他の実施態様において、ベースユニット１０２は、測定室１０４を収容する。ベースユニット１０２は、測定室１０４内の静電極と、コンタクトレンズが電極と接触することを防止するバリアとを収容し得る。１つの実施態様において、使用者は、家庭用ピペット、ボトルキャップに取り付けられた注射器型ディスペンサ、又は、他の類似システムのような、取り付けられた精密測定システムを有する一瓶の流体を与えられる。実質的に同一容量の流体が毎回分配されるよう、使用者は、ベースユニット１０２内の測定室１０４を表示された容量まで充填する。次に、使用者は、コンタクトレンズ１０６を測定室１０４内の流体内に配置する。上記の使い捨て可能なカートリッジから区別されるように、使用者は、各使用後に測定室１０４から流体を出し、場合によっては、如何なる残留溶質又は他の粒子をも除去するために、測定室１０４を洗浄することが求められる。
【００２１】
使い捨て可能なカートリッジを使用する実施態様において、ベースユニット１０２は、内蔵の制御回路を介してカートリッジ１０３の導入を自動感知するか、或いは、使用者入力によってカートリッジの導入を警告されるよう構成され得る。ベースユニット１０２内へのカートリッジ１０３の挿入は、電気接点３１０，３１２とベースユニット１０２との間の必要電気接続をもたらすべきである。電気接続は、ベースユニット１０２がカートリッジとの間で電力及び情報をやりとりすることを可能にするべきである。
【００２２】
１つの実施態様において、ベースユニット１０２は、カートリッジ１０３のベース３０６にある電極３０２，３０４に亘る伝導性の変化を測定するために、処理装置（図示せず）を含む。一般的に、伝導性の変化は、電極又は電流信号を電極３０２，３０４に亘って印加することによって検出される。次に、結果として得られる電極に亘る抵抗、電流、又は、電圧は、処理装置を用いて測定され得る。次に、測定値は、以下に記載されるように、浸透圧モル濃度値と相関され得る。
【００２３】
例えば、１つの具体的な実施態様において、１００ｋＨｚの正弦波信号が、電極３０２及び３０４の間に付与される。次に、関心のあるサンプル流体と直列のオペアンプ安定化抵抗器を通じて結果として生じる電流を測定するために、例えば、自動均衡ブリッジ方法を使用し得る。次に、伝導性が浸透圧モル濃度と直接的に関係付けられる。よって、１つの実施態様において、処理装置は、測定されたサンプル流体の電気特性から浸透圧モル濃度を逆算するために、ルックアップ表又は一組の機能にアクセスし得る。
【００２４】
しかしながら、コンタクトレンズを介して加えられる流体の容量は、カートリッジ内部の流体の容量と比べ無視し得る程度であるという、根本的な推定が存在することが留意されるべきである。例えば、もし測定室１０４が約５ｍＬの容量を包含し、コンタクトレンズが、収集される涙容量の考え得る高い限度上にある１０μＬの残留流体を包含するならば、室内の容量は、０．２％変化するだけである。しかしながら、塩濃度、故に、伝導性は著しく変更される。例えば、たった今記載された方法は、電極配列の頂部上の数ナノリットルの流体の蒸発を追跡し得る程に敏感であり得る。
【００２５】
容量収集は、コンタクトレンズの種類間、及び、数週間の監視に亘る患者間で大きく異なるであろうことが予測される。しかしながら、同一のコンタクトレンズを使用する同一人物は、毎日実質的に同一量の流体を収集するであろう。日々の信号上の無作為ノイズは時間が経てば微々たるものである。何故ならば、価値のある傾向は平均二乗収束であり、自信を持って線形又は非線形回帰分析を遂行する能力をもたらす。
【００２６】
コンタクトレンズ自体の容量を補償するために、使用されるレンズのブランド及びサイズに関する情報を収集するよう、赤外線バーコード読取り機のような入力装置をベースユニット１０２上に配置し得る。しばしば、この種類の情報は、使用者がコンタクトレンズの種類を変えたときに収集することが必要なだけである。
【００２７】
１つの実施態様において、ベースユニット１０２は、複数の浸透圧モル濃度測定値を記憶するために、メモリ装置（図示せず）も含み得る。処理済みデータ、及び、如何なる分析又は処理結果も、局所的に、例えば、メモリ装置内に記憶され得る。代替的に、この種類の情報は、ネットワーク接続を介してサーバにアップロードされ、以下に記載されるように遠隔的に記憶され得る。時間印及び日付印も各測定データ地点のために設けられ得るし、データと一緒に記憶され得る。
【００２８】
記憶装置は、フラシュメモリカード、メモリスティック装置、ＵＳＢキー、又は、他の類似装置のような取り外し可能な媒体の形態であり得る。取り外し可能な形態にデータを記憶する能力は、例えば、患者が予約時に彼らのデータを彼らの医療専門家に持って行くことを可能にする。次に、臨床医は、例えば、浸透圧モル濃度の傾向を表示し得る小さなＬＣＤスクリーンを備えたコンピュータシステム又は特別にフォーマットされたベースユニット内にメモリカードを配置し得る。よって、例えば、患者に施行中の治療プログラムのために、治療学的進歩が追跡され得る。治療学的進歩を監視する能力は、臨床医が彼らの診断又は処方を助けるのに用いられ得る。
【００２９】
他の実施態様において、メモリ装置はベースユニット１０２内に収容され、ベースユニット１０２はネットワーク接続（図示せず）をさらに含み得る。メモリ装置内に記憶された情報は、例えば、ネットワーク接続を介してアクセスされ得る。例えば、ベースユニットは、患者の家の中のダイアルアップ、持続性接続、又は、無線ネットワーク接続を介してインターネットに接続され得る。ベースユニット１０２のメモリ装置がデータを収集すると、それは中央サーバにアップロードされ、次に、それは上記された浸透圧モル濃度計算を遂行し得る。
【００３０】
代替的に、ベースユニット１０２内の処理装置は、全てのデータ処理を局所的に遂行し、例えば、データにおける傾向をセーバに連絡するよう構成され得る。記憶された浸透圧モル濃度データ内の傾向は、少し例を挙げれば、線形又は非線型回帰方法、移動平均モデル、自動回帰確率モデル、事前設定された統計モデルとの相関、神経回路網に基づく選別機、又は、パターン認識公式によって認識され得る。
【００３１】
データの統計分析は、試験が患者によって特に貧弱に遂行された場合に線外値を除去するためにも用いられ得る。例えば、もし患者が、コンタクトレンズが測定室１０４内に配置される前に、不注意に異質な物質を測定室１０４内或いはコンタクトレンズ１０６上に導入するならば、この誤差試験地点を除去するための機構が有用である。１つの実施態様において、例えば、ガウスに基づく平均からの所定分散、又は、典型的な使用者データに適合される一様任意変数が、使用の初めの数ヶ月の期間中に使用者に適用され得る。時間と共に、これらの分散の推定値は、各使用者の個々のプロファイルに合致するよう変更され得る。勿論、これは選択的であり、他の実施態様では、静的分散モデルは、全ての人のために用いられ得る。
【００３２】
バッテリ及び／又は電源のような電源もベースユニット１０２内に含まれ得る。実際には、１つの実施態様において、ベースユニットからプラグが外され或いは電力がなくなった場合には、耐水性の予備バッテリがベースユニット１０２に供給され得る。
【００３３】
１つの実施態様において、処理装置は、記憶された浸透圧モル濃度データを分析し、使用者に測定された浸透圧モル濃度における傾向を警告し得る。例えば、もし患者から３週間分のデータを収集した後、浸透圧モル濃度における顕著な上向き傾向が処理装置によって特定されるならば、処理装置は使用者に警告し、取られるべき具体的な行動をさらに指し示し得る。一般的に、行動命令は、製品使用の中止又は変更と関連して単純に解釈されるべきである。
【００３４】
１つの例示的な実施態様において、一組のレンズをシステム１００に設け得る。処理装置が日々の浸透圧モル濃度における急激な上昇を検出するならば、内蔵された表示器は、使用者が別の組のコンタクトレンズに取り替えるべきことを表示し得る。表示器は、例えば、少し例を挙げれば、ＬＣＤスクリーン、１つ又はそれ以上のＬＥＤ、複数の光表示器、及び／又は、口頭指図又は他の音声信号の形態の音声信号を含み得る。
【００３５】
システム１００が記載されたような一組のレンズと共にパッケージされるとき、一組のレンズは、特定の対のコンタクトレンズを特定の組の物理的特性に相関させるために、色又は他の手段のいずれかによってコード化されたパッケージの配列中に設けられ得る。従って、一組のレンズは、浸透圧モル濃度における現在傾向を逆転し或いは維持するために最適なレンズの様々な気孔率、組成、剛性、又は、他の如何なる特性を具備する広範なレンズを提供し得る。次に、処理装置は、浸透圧モル濃度データを分析し、且つ、浸透圧モル濃度データにおける現在傾向を考慮して、組からのどの対のコンタクトレンズが使用者にとって最良の調節をもたらすかを決定するよう構成され得る。次に、表示器は、上記されたコードシステムを通じて、使用者に特定の組のレンズに切り替えるよう信号を送り得る。一例として、使用者が付随する薄赤色に着色されたパッケージ内に収容されたコンタクトレンズに切り替えるべきことを使用者に表示するために、ＬＣＤスクリーンは薄赤色で点灯し得る。
【００３６】
他の実施態様において、一組の人工涙がシステム１００が設けられ得る。一組の人工涙は、特定の人工涙溶液を特定の組の物理的特性に相関させるために、色又は他の手段のいずれかによってコード化されたパッケージの配列内に設けられ得る。従って、一組の人工涙は、人工涙の等張、低張、若しくは、高張特性、又は、浸透圧モル濃度における現在傾向を逆転し或いは維持するのに最適な涙の他の如何なる特性をも変更することに基づいて、広範な治療学的特性をもたらし得る。次に、処理装置は、浸透圧モル濃度データを分析し、且つ、浸透圧モル濃度データにおける現在傾向を考慮して、組からのどの人工涙溶液が使用者にとって最良の治療学的効果をもたらすかを決定するよう構成され得る。次に、表示器は、上記されたコードシステムを通じて、使用者に特定の人工涙に切り替えるよう信号を送り得る。一例として、使用者が付随する薄赤色に着色されたパッケージ内に収容された人工溶液に切り替えるべきことを使用者に表示するために、ＬＣＤスクリーンは薄赤色で点灯し得る。
【００３７】
他の実施態様において、一組の薬物がシステム１００が設けられ得る。一組の薬物は、特定の薬物を特定の組の物理的特性に相関させるために、色又は他の手段のいずれかによってコード化されたパッケージの配列内に設けられ得る。従って、一組の薬物は、広範な治療学的特性をもたらし得る。次に、処理装置は、浸透圧モル濃度データを分析し、且つ、浸透圧モル濃度データにおける現在傾向を考慮して、組からのどの薬物が使用者にとって最良の治療学的効果をもたらすかを決定するよう構成され得る。次に、表示器は、上記されたコードシステムを通じて、使用者に特定の薬物に切り替えるよう信号を送り得る。一例として、使用者が付随する薄赤色に着色されたパッケージ内に収容された薬物に切り替えるべきことを使用者に表示するために、ＬＣＤスクリーンは薄赤色で点灯し得る。
【００３８】
図４は、ここに記載されるシステム及び方法の１つの実施態様に従った浸透圧モル濃度試験システムを構成するための方法の例示的な実施態様を例証するフロー図である。第一に、ステップ４０２において、浸透圧モル濃度試験システムを用いて浸透圧モル濃度を試験するときに使用されるべき、ある容量の流体を選択し得る。例えば、測定室の寸法に基づいて流体の容量を実質的に決定し得るし、或いは、その逆でもよい。しかし、いずれにしても、選択される容量は、効果的な測定がなされ得ることを保証し、且つ、レンズ１０６を介して導入される如何なる流体も全体的な容量に比べ最小であることを保証するのに十分であるべきである。
【００３９】
１つの実施態様において、選択された容量は、約５ｍＬの流体である。上記されたように、流体自体は、低伝導率を有するという利益を有する純水であり得るので、涙からの塩イオンの導入は、流体の電気特性における著しい変化を有する。他の実施態様では、ある容量の標準化塩溶液やオイル基溶液等を用い得る。
【００４０】
次に、ステップ４０４において、決定された流体容量と関連付けられた電気特性を測定し得る。１つの実施態様において、電気特性の測定は、測定室内に複数の電極を設け、且つ、流体を電極と接触させることによって、流体の導電性を測定することを含む。次に、複数の電極を通じて、電流が流体に加えられる。例えば、電極間に１Ｖ、１００ｋＨｚの正弦波を付与するために、電圧源を用い得る。
【００４１】
次に、ステップ４０６で、測定された電気特性は、システムのための基準浸透圧モル濃度値を構築するために処理される。ここに記載されるシステム及び方法の１つの実施態様において、上記されたような流体の導電性を含む電気特性を測定するために、処理装置は測定室に結合される。次に、測定信号から浸透圧モル濃度を逆算するために、電気特性値を浸透圧モル濃度に相関付けるルックアップ表又は一組の機能を用い得る。次に、ステップ４０８において、サンプル流体の浸透圧モル濃度を試験するために実施され得る選択された容量の流体のために、測定された浸透圧モル濃度は、基準浸透圧モル濃度値を構築するために用いられ得る。次に、例えば、もし測定中の電気特性が流体の伝導性であるならば、伝導率を浸透圧モル濃度値に相関付ける表が、基準を構築するために用いられ得る。
【００４２】
次に、ベースユニット１０２内、例えば、その中に含まれるメモリ装置内に基準値をロードし得るので、上記されたような浸透圧モル濃度値を生成するために基準値を用い得る。換言すれば、レンズ１０６を介して測定室１０４内に導入される残留涙液膜に起因する浸透圧モル濃度の偏差は、図４のフロー図に記載されるように、構築される基準からの偏差として検出され得る。
【００４３】
図５は、ここに記載されるシステム及び方法の１つの実施態様に従ったサンプルの浸透圧モル濃度を測定するための方法の例示的な実施態様を例証するフロー図である。第一に、ステップ５０２において、使用者は、彼又は彼女のコンタクトレンズを取り外す。１つの実施態様において、例えば、彼らの手を洗浄し乾燥した後、使用者は彼らのコンタクトレンズを取り外し、レンズの表面を完全に乾燥させるために、蒸発を許容するために約１０秒間待つ。
【００４４】
次に、ステップ５０４において、使用者は、取り外されたレンズを流体の部分内に配置し得る。１つの実施態様において、カートリッジに含まれる測定室内に流体を収容し得る。そのような実施態様において、使用者はカートリッジをベースユニット内に配置し、レンズを流体内に配置する前に、カートリッジからカバーを取り外す。他の実施態様において、使用者は、レンズを流体内に配置する前に、ある容量の流体をベースユニット内に位置する測定室内に注入する。前に議論されたように、流体は、例えば、純水又は既知の伝導率の標準塩溶液であり得る。次に、コンタクトレンズからの涙流体は、カートリッジのベースにある電極表面に向かって下方に移動し、バルク流体に溶解することなしに、局所的伝導率に特定の変化を起こし得る。
【００４５】
次に、ステップ５０６において、流体と関連する電気特性が測定される。１つの実施態様において、電気特性の測定は、測定室内に複数の電極を提供し、且つ、流体を電極と接触させることによって、流体の導電性、抵抗性、又は、複素インピーダンス等を測定することを含む。次に、複数の電極を通じて、電流が液体に加えられる。例えば、１Ｖピークから１００ｋＨｚピークの正弦波を電極間に印加するために、電圧源を用い得る。
【００４６】
次に、ステップ５０８において、流体のための浸透圧モル濃度値を構築するために、測定された電気特性が処理される。測定された電気特性を処理するための方法及び手順は、前に記載された方法及び手順を含む。
【００４７】
ステップ５１０において、浸透圧モル濃度値をメモリ装置内に記憶し得る。記憶装置は、複数の浸透圧モル濃度値を記憶するよう構成され得る。従って、時間と共に、使用者は、測定された浸透圧モル濃度値のデータベースを構築する。ここに記載されるシステム及び方法は、処理装置及びメモリ装置を含めるために、ベースユニットを提供するステップをさらに含み得る。電気特性を浸透圧モル濃度値に写像する表、或いは、代替的に、浸透圧モル濃度を逆算する一組の機能も、メモリ装置内に記憶され、且つ、浸透圧モル濃度測定値を決定するための処理装置によって使用され得る。さらに、記載されたように、前に構築された基準浸透圧モル濃度値を計上するよう表又は一組の機能を構成し得る。
【００４８】
ステップ５１２において、例えば、メモリ装置上に記憶された複数の浸透圧モル濃度測定値における傾向を特定し且つ追跡するために、処理装置を用い得る。記憶された浸透圧モル濃度測定値における傾向を、線形又は非線型回帰方法、移動平均モデル、自動回帰確率モデル、事前設定された統計モデルとの相関、神経回路網に基づく選別機、又は、パターン認識公式によって認識し得る。
【００４９】
ステップ５１４において、プロセッサは、浸透圧モル濃度データにおける傾向を分析し得るし、使用者は、測定された浸透圧モル濃度における傾向に基づいて警報を受信し得る。例えば、もし、患者からの３週間分のデータを収集した後に、浸透圧モル濃度における顕著な上向きの傾向が処理装置によって特定されるならば、処理装置は使用者に警告し、取られるべき具体的な行動をさらに表示し得る。前に議論されたように、使用者は、新しい組のレンズに交換するという警報を受信し、特別な種類の人工涙を施し、或いは、適切な浸透圧モル濃度を接眼レンズ表面に回復するのを助けるための特別な種類の薬物を取り得る。
【００５０】
本発明の特定の実施態様が上記されたが、記載された実施態様は例示の目的のみによることが理解されよう。従って、本発明は、記載された実施態様に基づいて制限されるべきではない。むしろ、ここに記載される本発明の範囲は、上記の記載及び添付の図面と共に取られるときに、請求項に照らしてのみ制限されるべきである。
【図面の簡単な説明】
【００５１】
【図１】本発明の例示的な実施態様を具備する浸透圧モル濃度測定システムを示す概略図である。
【図２】本発明の他の例示的な実施態様を具備する浸透圧モル濃度測定システムを示す概略図である。
【図３】図１の浸透圧モル濃度測定システムを示す詳細図である。
【図４】本発明の例示的な実施態様に従った浸透圧モル濃度測定システムを構成する方法を示すフロー図である。
【図５】本発明の例示的な実施態様に従った浸透圧モル濃度測定システムを使用する方法を示すフロー図である。
【図１】
2007525660.tif 000003
【図２】
2007525660.tif 000004
【図３】
2007525660.tif 000005
【図４】
2007525660.tif 000006
【図５】
2007525660.tif 000007